(57)【要約】【課題】  遊戯者の技量や腕力、経験、戦略等を考慮して滑り具合を選択することができるめんこ、更には遊戯者が自ら滑り具合を調整することができるめんこを提供する。【解決手段】  本発明のめんこ１０は、カード本体１３の少なくとも裏面１２の一部に、滑り加工１４及び／又は滑り止め加工１５が施されていることを特徴とし、特に、滑り加工１４及び滑り止め加工１５が、裏面１２の一部に印刷によって施されている、又は裏面１２の一部にシール１８を貼付することによって施されていることを特徴とする。【選択図】  図１
2020168135.tif 000002
【特許請求の範囲】
【請求項１】
カード本体の少なくとも裏面の一部に、滑り加工及び／又は滑り止め加工が施されていることを特徴とするめんこ。
【請求項２】
前記滑り加工及び前記滑り止め加工が、前記裏面の一部に印刷によって施されている、又は前記裏面の一部にシールを貼付することによって施されていることを特徴とする請求項１に記載のめんこ。
【請求項３】
前記印刷が、ニス印刷、擬似エンボス印刷、又は厚盛り印刷の何れかであることを特徴とする請求項２に記載のめんこ。
【請求項４】
前記シールの表面に、ニス印刷、擬似エンボス印刷、又は厚盛り印刷の何れかが施されていることを特徴とする請求項２に記載のめんこ。
【発明の詳細な説明】
【技術分野】
【０００１】
本発明は、玩具のめんこに関する。
【背景技術】
【０００２】
従来、子供の玩具として用いられるめんこは厚手の紙材から成り、その表面に、キャラクターや乗り物、人物、風景等の絵柄や写真、模様、文字等が印刷されている。そして、遊戯者は机上や地面に置かれた他人のめんこに対して自分のめんこを打ち付け、他人のめんこを風圧で裏返したり、机上から落としたり、他人のめんこの下を通過させたりして、遊戯者同士で互いに他人のめんこを取り合って楽しむのが一般的である。
【０００３】
また、遊戯者の技量に拘わらず、めんこの多様な楽しみ方を可能にするめんこが開示されている（例えば特許文献１参照。）。特許文献１に開示されためんこは、表面に互いに関連性を有する異なった絵、図形、文字等の表示を施した複数のめんこのうちの一部のめんこであって、他のめんこよりも比重が大きくなるように形成したことを特徴としている。或いは、他のめんこよりも比重が大きくなるように形成するとともに、他の比重の小さいめんことの関連性において当該他のめんこの表示よりも優位な観念を生じさせる表示を施したことを特徴としている。
【０００４】
そして、上記の構成を備える特許文献１に係るめんこによると、遊戯者の技量や腕力に拘わらず、比重の小さい他のめんこを容易に裏返えらせることができるので、互いに比重の等しいめんこを用いた場合のように遊戯者の技量のみで勝敗が決するとは限らず、例えば対戦相手や対戦状況に応じて比重の異なるめんこを戦略的に使い分けるなど、多様な遊戯内容を展開することができる旨、記載されている。
【先行技術文献】
【特許文献】
【０００５】
【特許文献１】特開２００３−１２６５６５号公報
【発明の概要】
【発明が解決しようとする課題】
【０００６】
特許文献１に開示されためんこによると、比重の違うめんこを使用することによって、遊戯者の技量や腕力に拘わらず楽しむことができるものと思料する。
【０００７】
しかしながら、当該めんこは比重のみが異なるため、比重が大きいめんこを使用する遊戯者が当然に有利になるとともに、選択できるめんこの種類は基本的に比重の大きいものか小さいものの何れかとなり、選択の余地がない。従って、遊戯者の技量や腕力の他、経験や戦略、打ち付け方の癖等を考慮して、いろいろなタイプのめんこから遊戯者自身が選択できるものが望まれていた。
【０００８】
また、遊戯者の技量や戦略等を考慮して、遊戯者が好みに応じて自ら改良することができるめんこが望まれていた。
【０００９】
そこで本願発明者は、上記の問題点に鑑み、遊戯者の技量や腕力、経験、戦略等を考慮して滑り具合を選択することができるめんこ、更には遊戯者が自ら滑り具合を調整することができるめんこを提供するべく鋭意検討を重ねた結果、本発明に至ったのである。
【課題を解決するための手段】
【００１０】
即ち、本発明のめんこは、カード本体の少なくとも裏面の一部に、滑り加工及び／又は滑り止め加工が施されていることを特徴とする。
【００１１】
また、本発明のめんこにおいて、前記滑り加工及び前記滑り止め加工が、前記裏面の一部に印刷によって施されている、又は前記裏面の一部にシールを貼付することによって施されていることを特徴とする。
【００１２】
更に、本発明のめんこにおいて、前記印刷が、ニス印刷、擬似エンボス印刷、又は厚盛り印刷の何れかであることを特徴とする。
【００１３】
また更に、本発明のめんこにおいて、前記シールの表面に、ニス印刷、擬似エンボス印刷、又は厚盛り印刷の何れかが施されていることを特徴とする。
【発明の効果】
【００１４】
本発明のめんこによると、カード本体の少なくとも裏面の一部に、滑り加工及び／又は滑り止め加工が施されていることによって、遊戯者の技量や腕力、経験、戦略等を考慮して滑り具合を選択することができるめんこ、更には遊戯者が自ら滑り具合を調整することができるめんこを提供することができる。
【００１５】
特に、本発明のめんこにおいて、滑り加工や滑り止め加工が、裏面の一部に印刷によって施されていることによって、遊戯者の好みに応じた種々の滑り具合を備えるめんこを提供することができるとともに、デザイン性に優れためんこを提供することができる。また、裏面の一部にシールを貼付することで滑り加工や滑り止め加工を施すことによって、遊戯者の好みに応じた滑り具合に調整することができるめんこを提供することができる。
【００１６】
また、本発明のめんこにおいて、裏面の一部への印刷方法がニス印刷や擬似エンボス印刷、或いは厚盛り印刷であることによって、またシールの表面にニス印刷や擬似エンボス印刷、或いは厚盛り印刷が施されていることによって、本発明のめんこに所望の滑り加工や滑り止め加工を施すことができるとともに、デザイン性に特に優れためんこを提供することができる。
【図面の簡単な説明】
【００１７】
【図１】本発明の一実施形態に係るめんこであって、（ａ）は平面図、（ｂ）は側面図、（ｃ）は背面図である。
【図２】本発明の他の実施形態に係るめんこであって、（ａ）は平面図、（ｂ）は側面図、（ｃ）は背面図である。
【図３】本発明の他の実施形態に係るめんこであって、（ａ）〜（ｃ）は何れも背面図である。
【図４】本発明のめんこに係るシールの一実施形態を示す平面図である。
【図５】本発明のめんこに係るシールの他の実施形態を示す平面図である。
【発明を実施するための形態】
【００１８】
以下、本発明のめんこの実施形態について、図面に基づいて詳述する。図１は本発明の一実施形態に係るめんこ１０の図である。同図に示すように、本実施形態のめんこ１０は、表面１１及び裏面１２を備えるカード本体１３において、少なくとも裏面１２の一部に、滑り加工１４又は滑り止め加工１５が施されていることを特徴としている。
【００１９】
本実施形態に係る滑り加工１４又は滑り止め加工１５としては、カード本体１３の裏面１２の一部に、種々の形状をなすパターンを直接、印刷することによって施している。パターン形状は特に限定されず、例えば、図１に示したように、波状の帯パターンを裏面１２の上下中央部に１本ずつ印刷した態様であってもよい。或いは図２に示すように、同様の帯パターンを更に多数印刷した態様であってもよい。また更に、図３に示すように、帯状のパターンや任意形状のマーク、楕円形状や円形状等、種々の形状をなすパターンを単独、或いは複数組み合わせて印刷した態様であってもよい。これらのように、種々の形状をなすパターンを単独、或いは複数組み合わせて印刷して滑り加工１４又は滑り止め加工１５を施すことによって、遊戯者の技量や腕力、経験、戦略等を考慮して、遊戯者自らが滑り具合を選択することができるめんこ１０を提供することができる。
【００２０】
なお、滑り加工１４又は滑り止め加工１５を施すための印刷方法は特に限定されないが、印刷用ニスを使用したニス印刷や擬似エンボス印刷、厚盛り印刷などが特に好ましい。
【００２１】
ここで、ニス印刷は通常、印刷物の表面加工に利用されるが、本実施形態においては、印刷用ニスを使用してカード本体１３の裏面１２に部分的にニス印刷を施すことによって、滑り加工１４や滑り止め加工１５を施すことができるとともに、使用するニスの種類によって、光沢感やマット感を付与することができ、デザイン性に優れためんこ１０を提供することができる。
【００２２】
また、ＵＶニスを使用した擬似エンボス印刷によって滑り加工１４や滑り止め加工１５を施すことも可能である。ＵＶニスによる擬似エンボス印刷は、オーバープリントＵＶニスと光沢ＵＶニスという性質の異なる２種類のＵＶニスを使用して印刷することによって印刷物の表面に凹凸を作り出すことができる印刷方法であるが、この擬似エンボス印刷で滑り加工１４や滑り止め加工１５を施すことによって、あらゆる滑り具合のめんこ１０を提供することができるとともに、光の加減でデザインや色合いに変化が見られるため、デザイン性に優れためんこ１０を提供することができる。
【００２３】
一方、厚盛り印刷は、印刷物の表面にＵＶ硬化インキを部分的に厚盛りして印刷する方法であるが、この厚盛り印刷によっても滑り加工１４や滑り止め加工１５を施すことができるとともに、めんこ１０にデザイン性を付与することができる。
【００２４】
また、これらニス印刷、擬似エンボス印刷、厚盛り印刷を適宜、組み合わせて滑り加工１４や滑り止め加工１５を施すことも可能である。例えば、カード本体１３の裏面１２の全面に擬似エンボス印刷を施した後、裏面１２の一部に厚盛り印刷を施すことによって、滑り加工１４や滑り止め加工１５を施すことができるとともに、デザイン性に優れためんこ１０を提供することができる。
【００２５】
以上のように、本実施形態のめんこ１０によると、カード本体１３の少なくとも裏面１２の一部に直接、印刷によって滑り加工１４、或いは滑り止め加工１５が予め施されていることによって、遊戯者の技量や腕力、経験、戦略等を考慮して滑り具合を選択することができるめんこ１０を提供することができる。
【００２６】
特に、カード本体１３の裏面１２にニス印刷や擬似エンボス印刷、厚盛り印刷などの印刷方法によって滑り加工１４や滑り止め加工１５を施すことによって、種々の滑り具合を備えためんこ１０を提供することができるとともに、光の加減でデザインや色合いに変化が見られるようなデザイン性に優れた高級感のあるめんこ１０を提供することができる。
【００２７】
なお、滑り加工１４や滑り止め加工１５を施すにあたって、使用される印刷方法は同じであるが、滑り加工１４と滑り止め加工１５の違いは、使用するインクやニスの種類によるものである。例えば、ニス印刷において、コーターニスを使用することによって滑り加工１４を施すことができ、ノンスリップニスを使用することによって滑り止め加工１５を施すことができる。使用するインクやニスの種類は特に限定されるものではなく、所望の滑り具合が得られるインクやニスが適宜、選択して使用される。
【００２８】
以上、本発明のめんこの一実施形態について詳述したが、本発明のめんこは上記の実施形態に限定されるものではない。例えば、図４及び図５に示したように、シール材１６の表面１７に、印刷によって各種のパターン形状をなすシール１８を予め作成する。そして、このシール１８を本発明のめんこに係るカード本体の裏面に貼付することによって、本発明のめんこに滑り加工や滑り止め加工を施すことができる。
【００２９】
シール１８の作成時には、上記の実施形態において説明した各種の印刷方法が利用されこととなる。つまり、シール材１６の表面１７にニス印刷や擬似エンボス印刷、厚盛り印刷を施し、任意の形状にカットすることによって、種々のパターンのシール１８が作成される。これを遊戯者が適宜選択してカード本体の裏面に貼付することによって、遊戯者自らが滑り具合を調整することができ、遊戯者の好みの滑り具合を備えるめんこを提供することができる。
【００３０】
以上に例示した本発明の実施形態に係るめんこは、本発明の技術的思想を実質的に限定するものと解してはならない。例えば、本発明のめんこにおいて、滑り加工や滑り止め加工はカード本体の裏面のみならず、表面にも施されてもよい。表面にも滑り加工や滑り止め加工を施すことによって、めんこを打ち付けた際に裏返ってしまった場合でも所望の滑り具合を得ることができる。また、対戦相手のめんこの下に自分のめんこを滑り込ませたり、或いは通過させたりすることも容易となり、遊戯者の技量や戦略等に応じためんこの選択肢を更に増やすことができる。
【００３１】
また、本発明のめんこにおいて、カード本体の少なくとも裏面、或いは裏面及び表面に施される滑り加工及び滑り止め加工は、何れか一方の加工のみが施される態様に限定されるものではなく、滑り加工と滑り止め加工の何れもが施された態様であってもよく、或いは、裏面の一部に滑り加工、表面の一部に滑り止め加工が施された態様であってもよい。本発明はその要旨を逸脱しない範囲で、当業者の創意と工夫により、適宜に改良、変更又は追加をしながら実施できる。
【符号の説明】
【００３２】
１０：めんこ
１１：カード本体の表面
１２：カード本他の裏面
１３：カード本体
１４：滑り加工
１５：滑り止め加工
１６：シール材
１７：シール材の表面
１８：シール
【図１】
2020168135.tif 000003
【図２】
2020168135.tif 000004
【図３】
2020168135.tif 000005
【図４】
2020168135.tif 000006
【図５】
2020168135.tif 000007